(57)【特許請求の範囲】
【請求項１】
便鉢を有した洋風便器と、
該洋風便器上に設置された便座ボックスと、
該便座ボックスに起倒回動可能に設置された便座とを有する洋風便器装置において、
該便座ボックスに設けられ、該便鉢の左右前部のトイレルーム床面における洋風便器の立姿使用者の両足であって、該洋風便器を立姿にて男子小用に使用する男子が足を置くべき位置に足を置いて立ったときの両足を検知する足検知手段と、
該足検知手段の検知信号に基づいて前記便座を起立回動させる便座回動装置とを備えたことを特徴とする洋風便器装置。
【請求項２】
請求項１において、前記洋風便器上において起倒回動可能な便蓋と、
人体検知センサの検知信号に基づいて該便蓋を起立回動させる便蓋回動装置とが設けられており、
該便蓋が起立した時点以降に前記足検知手段を作動させることを特徴とする洋風便器装置。
【請求項３】
請求項２において、前記足検知手段の検知位置は、前記人体検知センサが人体を検知可能な便鉢から最も遠い位置よりも便鉢に近いことを特徴とする洋風便器装置。
【請求項４】
請求項１ないし３のいずれか１項において、前記足検知手段は、赤外線及び可視光を含む光を前記便鉢の左右前部の該床面に向って照射し、この反射光によって足を検知すると共に、該可視光によって足を置くべき位置を表示するものであることを特徴とする洋風便器装置。
【請求項５】
請求項１ないし４のいずれか１項において、該便座が起立した状態にあるときに前記便鉢内面の放尿すべき箇所に可視光を照射する放尿箇所指示手段を備えたことを特徴とする洋風便器装置。
【発明の詳細な説明】
【０００１】
【発明の属する技術分野】
本発明は便座あるいは便蓋を自動的に開閉（起倒回動）させる機構を備えた洋風便器装置に関するものであり、詳しくは、洋風便器が立姿にて男子小用に使用される場合の利便性の向上あるいは尿飛散の防止を図るようにした洋風便器装置に関する。
【０００２】
【従来の技術】
洋風便器に設けられた便座や便蓋が駆動装置によって開閉されるタイプの洋風便器装置は、使用者が手で便座や便蓋に触れる必要がなく、便利であると共に清潔感に優れる。
【０００３】
この便座便蓋の起倒回動を行わせる制御機構として、特開平６−９３６４２号公報には、便座、便蓋のいずれをもスイッチ操作によって開閉させる構成が記載されている。
【０００４】
また、特開平８−３１９６４８号公報には、人体検知センサの人体検知信号に基づいて便座及び便蓋を起倒回動させる構成が記載されている。
【０００５】
【発明が解決しようとする課題】
便器を男子が立姿で小用に使用する場合、便器から離れがちとなり、尿が飛散し易い。そのため、便器近傍のトイレルーム床面に足型のマークを付し、当該マーク付近に立つべきことを視覚的に表示することがある。
【０００６】
しかしながら、このようなマークは、見栄えが良くないだけでなく、トイレルームにマットを敷いたときには見えなくなる。
【０００７】
本発明は、洋風便器が立姿にて男子小用に使用される場合の尿飛散を確実に防止することができる洋風便器装置を提供することを目的とする。
【０００８】
【課題を解決するための手段】
本発明の洋風便器装置は、便鉢を有した洋風便器と、該洋風便器上に設置された便座ボックスと、該便座ボックスに起倒回動可能に設置された便座とを有する洋風便器装置において、該便座ボックスに設けられ、該便鉢の左右前部のトイレルーム床面における洋風便器の立姿使用者の両足であって、該洋風便器を立姿にて男子小用に使用する男子が足を置くべき位置に足を置いて立ったときの両足を検知する足検知手段と、該足検知手段の検知信号に基づいて前記便座を起立回動させる便座回動装置とを備えたことを特徴とするものである。
【０００９】
かかる洋風便器装置にあっては、洋風便器の使用者が便鉢の左右前部のトイレルーム床面に左右両足を置くと便座が起立する。従って、この足検知位置を十分に便鉢に近く設定しておくことにより、使用者を自然に便鉢に近く位置させることができ、これにより尿飛散の防止を図ることができる。
【００１０】
本発明では、人体検知センサの人体検知信号によって便蓋の自動開閉を行う機構が設けられているときには、便蓋が起立した時点以降に足検知手段を作動させるので十分である。これにより、足検知手段の動作時間がごく限られたものとなり、省電力及び足検知手段の寿命延長を図ることができる。
【００１１】
本発明では、この足検知手段は、赤外線及び可視光を含む光を前記便鉢の左右前部の該床面に向って照射し、この反射光によって足を検知すると共に、該可視光によって足を置くべき位置を表示するものが好ましい。
【００１２】
かかる洋風便器装置にあっては、足を置くべき位置に光が当っているので、使用者は足を置くべき位置を明瞭に認識することができる。このため、洋風便器の使用にまごつくことがなく、便座の自動開放動作がスムーズに行われるようになる。本発明では、該便座が起立した状態にあるときに便鉢内面の放尿すべき箇所に可視光を照射する放尿箇所指示手段を設けてもよい。このようにすれば、尿の飛散防止を図ることができる。
【００１３】
【発明の実施の形態】
以下、図面を参照して実施の形態について説明する。図１は実施の形態に係る洋風便器装置の斜視図、図２はこの洋風便器装置の側面図、図３はこの洋風便器装置の平面図である。なお、図１では便蓋のみ起立し、図２，３では便座及び便蓋が起立した状態に示されている。
【００１４】
洋風便器１は、その前部に便鉢２を備えており、最後部上面にロータンク３が設置されている。この便鉢２の後縁かつロータンク３の前側に便座ボックス４が設置されている。この便座ボックス４は、洋風便器１から側方に張り出す張出部５，６を備えており、この張出部５，６に基端側の左右両端を支持されるようにして便座７及び便蓋８が設置されている。一方の張出部６内には、この便座７及び便蓋８の支軸に連結された起倒用の回動装置（図示略）が設置されている。この回動装置は、モータ及び減速機等よりなる。
【００１５】
この便座ボックス４には、便座に着座した人体の臀部を温水で洗浄するための温水洗浄装置が設置されている。即ち、他方の張出部５内には温水タンク（図示略）が設置され、便座ボックス４内には、洗浄ノズル９，１０及び温風乾燥ファン（図示略）等が設けられている。
【００１６】
この温水洗浄装置には、止水栓１２及びホース１３を介して水道水が供給される。
【００１７】
この温水洗浄装置の操作を行うためのリモコン１４がトイレルームの壁面１５に設けられている。このリモコン１４には、肛門洗浄用操作スイッチ（シャワースイッチ）、ビデ洗浄用操作スイッチ（ビデスイッチ）、温風を吹き出させるドライスイッチ、肛門洗浄（シャワー洗浄）、ビデ洗浄、温風乾燥等の作動をストップさせるストップスイッチ、洗浄の広がりを調整するためのワイド洗浄入／切スイッチ、洗浄位置前進スイッチ、その後退スイッチ、便座の温度を調整するための便座温度調節スイッチ、洗浄強さを調整する洗浄施工調整スイッチ、シャワー等の水温を調整する温水温度調節スイッチ等が配置されている。
【００１８】
前記便座ボックス４の左右の張出部５，６には、該張出部５，６の前方のトイレルーム床面１７に向って赤外線と可視光とを照射する発光素子と、この赤外線の反射光を受光する受光素子とからなる足検知センサ１８，１９が設けられている。この足検知センサ１８，１９からの赤外線と可視光とは、それぞれトイレルーム床面１７のうち便鉢７の左右前方部位に照射され、光のスポット２０，２１を形成する。この光のスポット２０，２１は、洋風便器１を立姿にて男子小用に使用する場合の当該男子が足を置くべき位置である。この位置に足を置いて立った男子は、脚が便器１に触れることなく適度に便鉢２に近接している。また、このスポット２０，２１は洋風便器１の中心線を挟んで左右対称位置を占めているので、立姿の洋風便器使用者の体の中心と洋風便器１の中心線とが合致する。
【００１９】
この足検知センサ１８，１９の双方が足を検知すると、張出部６内の便座回動装置が駆動され、便座７が起立回動する。
【００２０】
また、この張出部５には、洋風便器１の前方に近づいた人体を検知する人体検知センサ２２が設けられている。この人体検知センサ２２が人体を検知すると、張出部６内の便蓋回動装置が駆動され、便蓋８が起立する。この人体検知センサ２２が人体を検知しなくなると、回動装置によって便座７及び便蓋８が倒伏回動する。
【００２１】
便座ボックス４には、便鉢２の鉢面のうち、溜水面２ｗよりも前方側で且つ該溜水面２ｗに近接した箇所に向って可視光を照射して光のスポット２４を形成する発光器２３が設置されている。この発光器２３は、足検知センサ１８，１９の双方が足を検知したときに発光する。
【００２２】
このように構成された洋風便器装置においては、人が洋風便器１に近づくと、人体検知センサ２２が人体を検知し、まず便蓋８が起立回動する。また、足検知センサ１８，１９が光を照射してスポット２０，２１を形成する。
【００２３】
この人が男子立姿小用以外の目的の人（例えば女性、大便予定男子）の場合には、足をスポット２０，２１に置くことはないので、この便蓋起立かつ便座倒伏状態が維持される。
【００２４】
洋風便器１に近づいた人が男子立姿小用予定者の場合、足をスポット２０，２１の位置におく。そうすると、足が足検知センサ１８，１９によって検知され、便座７が起立回動する。また、発光器２３が光を鉢面に照射してスポット２４を形成する。その後、人が洋風便器１から離れ、足検知センサ１８，１９及び人体検知センサ２２が人体を検知しなくなると、所定時間経過後に便座７及び便蓋８が倒伏回動する。
【００２５】
このように、男子が洋風便器１を立姿小用に用いるときには、足許にスポット２０，２１が生じているので、自然にスポット２０，２１に足を置くようになる。なお、便蓋８の裏に「床面の光スポットに足を置いて下さい」等の表示を設けてもよく、その旨を告げる音声を発生させてもよい。
【００２６】
また、このスポット２０，２１に足を置いた男子が放尿するに際しては、鉢面の溜水面２ｗ近傍にスポット２４が形成されているので、このスポット２４めがけて放尿するようになり、尿の飛散が防止されるようになる。
【００２７】
なお、上記実施の形態では、人体検知センサ２２の検知信号に基づいて足検知センサ１８，１９を発光動作させているが、便蓋８の起立検知手段（例えば支軸に設けられたロータリエンコーダ等）を設けておき、便蓋８が起立状態になったとき以降に足検知センサ１８，１９を動作させてもよい。
【００２８】
また、同様に便座７の起立検知手段を設け、便座７が起立状態にあることが検知された場合に、発光器２３を動作させてスポット２４を形成してもよい。
【００２９】
上記のスポット２１，２２，２４は連続点灯でもよく、間欠点灯でもよい。
【００３０】
【発明の効果】
以上の通り、本発明によると、洋風便器使用者の足を検知することにより便座が自動的に起立回動する。そして、この洋風便器の前方部の左右両側に光スポットを形成することにより、洋風便器の男子小用使用者の足が自然にこの光スポットに置かれ、該男子が便鉢に自然に近づいて立つようになる。これにより、尿の飛散を防止することが可能となる。本発明では、便鉢に放尿箇所指示用の光スポットを形成することにより、男子小用使用に伴う尿飛散を防止することができる。
【図面の簡単な説明】
【図１】実施の形態に係る洋風便器装置の斜視図である。
【図２】図１の洋風便器装置の側面図である。
【図３】図１の洋風便器装置の平面図である。
【符号の説明】
１  洋風便器
２  便鉢
４  便座ボックス
５，６  張出部
７  便座
８  便蓋
１８，１９  足検知センサ
２０，２１，２４  光スポット
２２  人体検知センサ
２３  発生器
【図１】
0003724358.tif 000002
【図２】
0003724358.tif 000003
【図３】
0003724358.tif 000004